(57)【要約】【課題】鏡体の裏面と箱体の前面との接合を充分に確保して、鏡体の曇り止めを確実に行えるようにする。【解決手段】浴室の壁面に着脱可能に構成された箱体１と、該箱体１の前面に挿脱可能に構成された鏡体１５とを備えた曇り止め機能付き鏡において、箱体１の左右の両側面の少なくともいずれか一方にシャワーヘッド１６のハンガー２０を着脱可能に取り付け、箱体１と鏡体１５との間隙を覆う回動可能な水受け２５を箱体１の上面開口部２に設け、箱体１の前面開口部３を覆うように熱伝導性及び可撓性を有する薄膜部材３０を貼着する。さらに、箱体１の内部に仕切り板４を設け、箱体１の内部を、温水貯留部Ａと余剰水貯留部Ｂとに仕切り、箱体１の温水貯留部Ａの温水と余剰水貯留部Ｂの余剰水とを排水するための三方排水バルブ１０を取り付ける。【選択図】　　図１
0003098684.tif 000002
【実用新案登録請求の範囲】
【請求項１】
浴室の壁面に着脱可能に構成された箱体と、該箱体の前面に挿脱可能に構成された鏡体とを備えた曇り止め機能付き鏡において、箱体には、左右の両側面の少なくともいずれか一方にシャワーヘッドのハンガーが着脱可能に取り付けられると共に、上面及び前面にそれぞれ開口部が形成され、箱体の上面開口部には、箱体と鏡体との間隙を覆うべく回動可能な水受けが設けられると共に、箱体の前面開口部には、該前面開口部を覆うように熱伝導性及び可撓性を有する薄膜部材が貼着されてなることを特徴とする曇り止め機能付き鏡。
【考案の詳細な説明】
【０００１】
【考案の属する技術分野】
本考案は、浴室などにおける多湿な場所に設置された曇り止め機能付き鏡に関する。
【０００２】
【従来の技術】
従来の曇り止め機能付き鏡は、例えば、特開平９−１５４６８７号に示すように、浴室の壁面に着脱可能に構成された箱体と、該箱体の前面に取り付けられた鏡体とを備えたものが公知になっている。
【０００３】
そして、箱体内に給湯した温水の熱を鏡体に伝導させて、浴室の蒸気の温度と鏡体の表面温度との温度差によって生じる鏡体の曇りを防止している。
【０００４】
【考案が解決しようとする課題】
しかしながら、従来の曇り止め機能付き鏡の場合、鏡体の裏面と箱体の前面との接合が不充分であるため、熱伝導が低く、十分な曇り止めが行われない場合があるという問題がある。
【０００５】
そこで、本考案は上記問題点に鑑み、鏡体の裏面と箱体の前面との接合を充分に確保して、鏡体の曇り止めを確実に行えるようにした曇り止め機能付き鏡を提供することを目的とする。
【０００６】
【課題を解決するための手段】
上記課題を解決するために、本考案の曇り止め機能付き鏡は、請求項１に示す如く、浴室の壁面に着脱可能に構成された箱体と、該箱体の前面に挿脱可能に構成された鏡体とを備えた曇り止め機能付き鏡において、箱体には、左右の両側面の少なくともいずれか一方にシャワーヘッドのハンガーが着脱可能に取り付けられると共に、上面及び前面にそれぞれ開口部が形成され、箱体の上面開口部には、箱体と鏡体との間隙を覆うべく回動可能な水受けが設けられると共に、箱体の前面開口部には、該前面開口部を覆うように熱伝導性及び可撓性を有する薄膜部材が貼着されてなるものである。
【０００７】
したがって、シャワーヘッドのハンガーを、箱体の左右の両側面の少なくともいずれか一方に着脱可能に取り付けるようにしたため、シャワーを利用して迅速に給湯できる。
【０００８】
さらに、回動可能な水受けを、箱体と鏡体との間隙を覆うように箱体の上面開口部に設けたので、シャワーの温水が箱体と鏡体との間隙に浸水するのを防止できる一方、石鹸の泡や塵埃の浸入をも防止できる。
【０００９】
加えて、熱伝導性及び可撓性を有する薄膜部材を、箱体の前面開口部を覆うように貼着したので、箱体に給湯された温水によって、薄膜部材がやや伸張して鏡体の裏面に密接することになり、温水の熱が薄膜部材を介して鏡体に伝導され、鏡体が暖められて、鏡体の表面の曇りが迅速に除去される。
【００１０】
【考案の実施の形態】
本考案の一実施形態につき、図１〜図４を参照して説明する。
本考案の曇り止め機能付き鏡は、浴室の壁面（図示せず）に着脱可能に構成された箱体１と、該箱体１の前面に挿脱可能に構成された鏡体１５と、箱体１の左右の両側面に着脱可能に取り付けられたシャワーヘッド１６のハンガー２０と、箱体１の上面開口部２に回動可能に取り付けられた可動水受け２５と、箱体１の前面開口部３の周縁部の裏面に貼着された箱体１の前面開口部３よりも若干大きい薄膜部材３０とから構成されている。
【００１１】
箱体１は、平坦な縦長の直方体形状を呈し、奥行き寸法４ｃｍ、横寸法４０ｃｍ、縦寸法５０ｃｍで、上面部に給湯用の開口部２が形成されると共に、前面部に温水の温度を鏡体１５に直接熱伝導させるための開口部３が形成されている。この箱体１は、透明であり、温水の水位を目視できるようになっている。なお、箱体１は、５０リットルの温水を貯留できるようになっている。
【００１２】
さらに、箱体１には、図１を正面から見て、箱体１の左側寄りに縦長の仕切り板４が直立して設けられ、箱体１の内部が、温水貯留部Ａと余剰水貯留部Ｂとに水密に仕切られている。仕切り板４は、箱体１の温水貯留部Ａの余剰水を余剰水貯留部Ｂに流出すべく箱体１の縦寸法よりも若干低くなっている。
【００１３】
加えて、箱体１の前面の左側端部及び右側端部には、その長手方向に沿って断面Ｌ字形状の鏡体用ガイド５，５が固着されている。そして、箱体１の左右の両側面の上部には、シャワーヘッド１６のハンガー２０，２０が挿脱されるハンガー用ガイド６，…が固着されている。さらに、箱体１の背面には、その四隅に複数のフック７，…が設けられている。
【００１４】
また、箱体１の温水貯留部Ａの底部には、温水排出管８が取り付けられると共に、箱体１の余剰水貯留部Ｂの底部には、余剰水排出管９が取り付けられている。そして、温水排出管８は、エルボ継ぎ手８ａを介して三方排水バルブ１０の温水送出管１２に接続されている。
【００１５】
この三方排水バルブ１０は、略円筒状のバルブ本体１０ａと、該バルブ本体１０ａの下端開口部に一体成形された排水管１０ｂと、バルブ本体１０ａの上端開口部に設けられた上下方向の余剰水送出管１１と、バルブ本体１０ａの周面に設けられ、且つ、その基端部が余剰水送出管１１の基端部に連通した水平方向の温水送出管１２と、余剰水送出管１１及び温水送出管１２の連通部に回動可能に設けられた略球体形状の弁体１３と、該弁体１３に連結されたハンドル１４とを具備している。
【００１６】
そして、ハンドル１４が上下方向の位置、即ち余剰水排水位置に位置した場合には、余剰水排出管９、余剰水送出管１１、排水管１０ｂがそれぞれ連通した状態になって、箱体１の余剰水貯留部Ｂからの余剰水が排水される一方、ハンドル１４が水平方向の位置、即ち温水排水位置に位置した場合には、温水排出管８、エルボ継ぎ手８ａ、温水送出管１２、排水管１０ｂがそれぞれ連通した状態になって、箱体１の温水貯留部Ａからの温水が排水される。
【００１７】
鏡体１５は、箱体１の前面と略同一形状の正面視矩形状を呈し、箱体１の鏡体用ガイド５，５によって形成される溝に沿って箱体１の前面上方から挿脱される。
【００１８】
シャワーヘッド１６のハンガー２０は、ハンガー用ガイド６，６に沿って箱体１の側面上方から挿脱可能になっている。
【００１９】
可動水受け２５は、前方から後方にかけて斜め下方の傾斜部２６と、該傾斜部２６の両端部から延設された支持部２７，２７とを有している。この支持部２７，２７の外面には、回動軸２８，２８が突設されている。そして、可動水受け２５によって、シャワーヘッド１６の温水が箱体１と鏡体１５との間隙に浸水するのを防止できる一方、石鹸の泡や塵埃の浸入を防止できる。さらに、箱体１の上面開口部２の後側端部には、断面円弧状の固定水受け２９が設けられている。この固定水受け２９によって、浴室壁面（図示せず）と箱体１の背面との間隙におけるシャワーヘッド１６の温水の浸水、及び、石鹸の泡や塵埃の浸入を防止できる。
【００２０】
薄膜部材３０は、例えば、熱伝導性及び可撓性を有するエポキシ樹脂のシートが使用されている。さらに、箱体１と鏡体１５との間隙に位置し、通常時は、鏡体１５の裏面からやや離間しており、箱体１の満水時は、鏡体１５の裏面に密接することになる。
【００２１】
なお、箱体１、ハンガー２０、可動水受け２５の材質は、ステンレスや陶器など、特に限定していないが、本実施形態の場合は、温水に耐久性のある合成樹脂を使用する。また、ステンレスや陶器を使用する場合には、温水の水位を目視できるように、箱体１の内部を透視できるように構成するのがよい。
【００２２】
つぎに本考案の曇り止め機能付き鏡の使用態様について説明する。まず、シャワーヘッド１６をハンガー２０に引っ掛けて、所望の温度に調整された温水（３７度〜４０度）を箱体１の上面開口部２（給湯口）から給湯して、箱体１を略満水状態にする一方、三方排水バルブ１０のハンドル１４を上下方向の位置（余剰水排水位置）に位置させ、余剰水排出管９、余剰水送出管１１、排水管１０ｂがそれぞれ連通した状態にしておく。
【００２３】
給湯の際、シャワーヘッド１６の位置が箱体１の上面開口部からずれていても、固定水受け２９及び可動水受け２５によって、外部への漏れが低減される。この可動水受け２５は、石鹸の泡や塵埃が鏡体１５と薄膜部材３０との間に侵入するのを防止する役目をも担っている。また、箱体１からオーバーフローした余剰水は、余剰水排出管９、余剰水送出管１１、排水管１０ｂを通って外部へ排出される。
【００２４】
そして、箱体１が満水状態になると、箱体１の温水によって箱体１の前面開口部３から薄膜部材３０が前方に押圧され、その押圧によって薄膜部材３０が鎖線の位置から実線の位置へやや伸張することになり、鏡体１５の裏面に密接することになる。
【００２５】
よって、温水の熱が薄膜部材３０を介して鏡体１５に伝導され、鏡体１５自体が暖められて鏡体１５の曇りが除去されることになる。
【００２６】
髭剃りなどを行った後、三方排水バルブ１０のハンドル１４を上下方向の位置から水平方向の位置（温水排水位置）に回動し、弁体１３を開いて、温水排出管８、エルボ継ぎ手８ａ、温水送出管１２、排水管１０ｂを連通させて箱体１の内部の温水を排水する。
【００２７】
また、箱体１や鏡体１５を洗浄する場合は、まず、可動水受け２５を実線の位置から鎖線の位置へ回動し、鏡体１５の上方を開放する。つぎに、鏡体１５を鏡体用ガイド５，５に沿って上方へ引き出して、箱体１と鏡体１５を分離する。
【００２８】
なお、前記実施形態の場合、箱体１の形状及び鏡体１５の形状は、図示に限定されるものではなく、円形状、楕円形状、多角形状でのいずれであってもよい。
【００２９】
また、箱体１への鏡体１５の挿脱は、鏡体用ガイド５，５によるものではなくて、鏡体１５に吸盤を取り付けてもよく、磁石によって磁着するようにしてもよい。
【００３０】
さらに、薄膜部材３０として、エポキシ樹脂を使用したが、温水に耐久性があって熱伝導の高いものであればよく、材質は特に限定されるものではない。
【００３１】
加えて、前記実施形態の場合、シャワーヘッド１６のハンガー２０，２０を箱体１の両側面にそれぞれ取り付けるようにしたが、左右の両側面のいずれか一方にあればよい。給湯する手段としては、ホースを箱体１の上面開口部２に直接挿入するようにしてもよい。また、着脱の手段としては、磁石や吸盤を用いてもよい。
【００３２】
また、前記実施形態の場合、箱体１の背面にフック７，…を設けて浴室の壁面に掛けるようにしたが、箱体１に吊り輪を設けて浴室の壁面に掛けるようにしてもよい。要するに、箱体１は、浴室の壁面に着脱可能であればよい。
【００３３】
【考案の効果】
以上説明したように、本考案の曇り止め機能付き鏡によれば、温水が給湯される箱体の側面にシャワーのハンガーを取り付けることで、シャワーの有効利用が可能になる。
【００３４】
さらに、箱体の上面開口部の水受けによって、シャワーの温水の浸水、及び、石鹸の泡や塵埃の浸入をも有効に阻止できる。
【００３５】
加えて、箱体の前面開口部に貼着された熱伝導性及び可撓性を有する薄膜部材によって、鏡体への熱伝導効率がよくなり、鏡体の曇り止めが防止されることで、支障なく鏡体を使用できる効果がある。
【図面の簡単な説明】
【図１】本考案の一実施形態の曇り止め機能付き鏡の斜視図である。
【図２】図１の水受け部位の拡大断面図である。
【図３】通常時の三方排水バルブの状態を示した拡大断面図である。
【図４】排水時の三方排水バルブの状態を示した拡大断面図である。
【符号の説明】
１　箱体
２　上面開口部
３　前面開口部
４　仕切り板
５　鏡体用ガイド
６　ハンガー用ガイド
７　フック
８　温水排出管
９　余剰水排出管
８ａ　エルボ継ぎ手
１０　三方排水バルブ
１０ａ　バルブ本体
１０ｂ　排水管
１１　余剰水送出管
１２　温水送出管
１３　弁体
１４　ハンドル
１５　鏡体
１６　シャワーヘッド
２０　ハンガー
２５　可動水受け
２６　傾斜部
２７　支持部
２８　回動軸
２９　固定水受け
３０　薄膜部材
Ａ　温水貯留部
Ｂ　余剰水貯留部
【図１】
0003098684.tif 000003
【図２】
0003098684.tif 000004
【図３】
0003098684.tif 000005
【図４】
0003098684.tif 000006